(57)【要約】【課題】  迅速な設置を可能とすると共に通気性能及び防水性能の信頼性の高い換気棟を提供する。【解決手段】  換気棟１１は頂点から幅方向に向かって斜め下方に延びる板形状の一対の傾斜部１７ａ，傾斜部１７ｂを有し、それらの各々には長手方向に平行な換気口１４ａ〜換気口１４ｄの各々が形成されている。換気口１４ｂ及び換気口１４ｃの各々と頂点との間であって傾斜部１７ａ，傾斜部１７ｂの下方に、断面が台形形状の換気部材２１ａ，換気部材２１ｂが取付けられている。換気部材２１ａ，換気部材２１ｂは、各々が凹凸断面形状を有する合成樹脂シートを複数積層された状態で一体化されたものであり、複数の通気孔が形成されている。これによって換気棟１１を屋根材２８上に設置して固定するだけで、通気性能を維持しつつ、雨水の侵入を阻止する防水効果を発揮する。【選択図】      図５
2006009293.tif 000002
【特許請求の範囲】
【請求項１】
ほぼ山形形状でその中央部が開口された屋根材の上に設置する換気棟であって、
頂点から幅方向に向かって斜め下方に延びる板形状の一対の傾斜部を有し、前記傾斜部の各々には、長手方向に平行な換気口が形成された棟板部材と、
前記換気口の各々と前記頂点との間であって、前記棟板部材の下面に取付けられ、前記幅方向の断面が矩形形状を有すると共に前記長手方向に延びる棒形状を有し、前記幅方向に一方の側面から他方側面へ貫通する複数の通気孔を有する換気部材とを備え、
前記換気部材は、その下面が設置時に前記屋根材の上面にほぼ接するような厚さに設定される、換気棟。
【請求項２】
前記換気部材は台形断面形状を有し、下底に対応する面は前記傾斜部の下面側に位置する、請求項１記載の換気棟。
【請求項３】
前記換気部材は台形断面形状を有し、上底に対応する面は前記傾斜部の下面側に位置する、請求項１記載の換気棟。
【請求項４】
前記換気部材が取付けられていない前記棟板部材の前記頂点側の下面に少なくとも取付けられた断熱材を更に備えた、請求項２又は請求項３に記載の換気棟。
【請求項５】
前記換気部材は、各々が凹凸断面形状を有する合成樹脂シートを複数積層した状態で熱融着によって一体化され、前記通気孔はその断面がほぼ１ｍｍ×４ｍｍの長方形形状を有すると共に、その長さが少なくとも２３ｍｍである、請求項１から請求項４のいずれかに記載の換気棟。
【請求項６】
前記棟板部材は、前記傾斜部の外方端部の各々に接続され、ほぼ垂直下方に延びる一対の垂直部を更に備えた、請求項１から請求項５のいずれかに記載の換気棟。
【発明の詳細な説明】
【技術分野】
【０００１】
この発明は換気棟に関し、特に家屋における小屋裏空間の自然換気を図るために屋根の棟部に取り取付けられる換気棟に関するものである。
【背景技術】
【０００２】
図７は、特許文献１に開示されている換気棟の概略構造を示す断面図である。
【０００３】
図を参照して、換気棟６１は頂点１６から幅方向に向かって斜め下方に延びる板形状の傾斜部６７と、傾斜部６７の下方端部に接続され垂直下方に延びる垂直部６８と、垂直部６８の下方端から斜め下方に延びるフランジ部６９とからなる棟板部材６３を中心として構成されている。傾斜部６７にはその長手方向に平行に延びる３つの換気口６４が形成されている。棟板部材６３の下面にはその中央部側に断熱材６５が取付けられている。断熱材６５の外方端部と換気口６４との間の傾斜部６７の下面には断面Ｃ字状の水切部材７１が取付けられており、水切部材７１の上方部には通気孔７２が形成されている。又、水切部材７１の傾斜面の上面には断面Ｌ字状の止水ガード７４が取付けられている。止水ガード７４の立上り部には排水孔７５が形成されている。
【０００４】
一方、屋根材２８は、図示しない垂木の上に設置される野地板２９と、野地板２９の上に図示しない防水紙等を介して設置される下葺材３２と、下葺材３２の上に配置される平板瓦３４とから構成されている。尚、野地板２９と下葺材３２との間に捨水切３３が挿入された状態で取付けられている。
【０００５】
取付けに際しては、換気棟６１は屋根材２８の平板瓦３４の上面に取付けられた防水パッキン７７に水切部材７１の下面が接するように配置し、その状態で図示しない固定釘等を用いて換気棟６１を屋根材２８に対して固定する。
【０００６】
このようにして設置された換気棟６１は通気機能と防水機能とを合わせて発揮することになる。通気にあっては、図の矢印で示されているように小屋側から排出された空気は水切部材７１の通気孔７２を介して止水ガード７４上に通過し、そして止水ガード７４を通過して傾斜部６７の換気口６４を介して外部に排出される。一方、換気口６４から侵入した雨水は、まず止水ガード７４の立上り部によって阻止され、更に水切部材７１の立下がり部によって阻止される。止水ガード７４の立上り部を越えて侵入した雨水は水切部材７１の立上り部によって阻止され、止水ガード７４の排水孔７５を介して水切部材７１の傾斜面に沿って流れ落ち、水切部材７１のフランジ７８を介して平板瓦３４の上面から外部に排出される。このようにして、従来の換気棟６１は通気性能と防水性能とを合わせて発揮する構成となっている。
【０００７】
【特許文献１】特開２００１−３２９６６８号公報
【発明の開示】
【発明が解決しようとする課題】
【０００８】
上記のような従来の換気棟では、設置時に棟板部材６３に対して水切部材７１や止水ガード７４を組合わせた状態で換気棟６１を屋根材２８に取付ける必要があるため、迅速な設置が困難であった。
【０００９】
又、雨水の侵入は水切部材７１及び止水ガード７４によって堰き止めて防止しているため、雨量が極端に増加した時の防水機能としての信頼性が十分ではなかった。
【００１０】
この発明は上記のような課題を解決するために為されたもので、迅速な設置を可能とすると共に、通気性能及び防水性能の信頼性が高い換気棟を提供することを目的とする。
【課題を解決するための手段】
【００１１】
上記の目的を達成するために、請求項１記載の発明は、ほぼ山形形状でその中央部が開口された屋根材の上に設置する換気棟であって、頂点から幅方向に向かって斜め下方に延びる板形状の一対の傾斜部を有し、傾斜部の各々には、長手方向に平行に換気口が形成された棟板部材と、換気口の各々と頂点の間であって、棟板部材の下面に取付けられ、幅方向の断面が矩形形状を有すると共に長手方向に延びる棒形状を有し、幅方向に一方の側面から他方側面へ貫通する複数の通気孔を有する換気部材とを備え、換気部材はその下面が設置時に屋根材の上面にほぼ接するような厚さに設定されるものである。
【００１２】
このように構成すると、換気部材は棟板部材に一体化される。
【００１３】
請求項２記載の発明は、請求項１記載の発明の構成において、換気部材は台形断面形状を有し、下底に対応する面は傾斜部の下面側に位置するものである。
【００１４】
このように構成すると、換気部材の各々の中央側下方のスペースが拡大する。
【００１５】
請求項３記載の発明は、請求項１記載の発明の構成において、換気部材は台形断面形状を有し、上底に対応する面は傾斜部の下面側に位置するものである。
【００１６】
このように構成すると、換気部材の通気孔の長さが下方側において長くなる。
【００１７】
請求項４記載の発明は、請求項２又は請求項３に記載の発明の構成において、換気部材が取付けられていない棟板部材の頂点側の下面に少なくとも取付けられた断熱材を更に備えたものである。
【００１８】
このように構成すると、換気部材が設置されていない棟板部材からの結露が防止される。
【００１９】
請求項５記載の発明は、請求項１から請求項４のいずれかに記載の発明の構成において、換気部材は各々が凹凸断面形状を有する合成樹脂シートを複数積層した状態で熱融着によって一体化され、通気孔はその断面がほぼ１ｍｍ×４ｍｍの長方形形状を有すると共に、その長さが少なくとも２３ｍｍであるものとしたものである。
【００２０】
このように構成すると、一定要件下における水の通気孔を介しての侵入が確実に阻止される。
【００２１】
請求項６記載の発明は、請求項１から請求項５のいずれかに記載の発明の構成において、棟板部材は、傾斜部の外方端部の各々に接続され、ほぼ垂直下方に延びる一対の垂直部を更に備えたものである。
【００２２】
このように構成すると、換気部材の外方側面が棟板部材の垂直部によって囲われるものである。
【発明の効果】
【００２３】
以上説明したように、請求項１記載の発明は、換気部材は棟板部材に一体化されるため、換気棟の取付けが容易となると共に通気機能及び防水機能の信頼性が向上する。
【００２４】
請求項２記載の発明は、請求項１記載の発明の効果に加えて、換気部材の各々の中央側のスペースが拡大するため、設置時に屋根材側の捨水切と緩衝する虞が少なくなり設置が容易となる。
【００２５】
請求項３記載の発明は、請求項１記載の発明の効果に加えて、換気部材の通気孔の長さが下方側において長くなるため、雨水の通気孔を介しての侵入をより確実に阻止することが可能となる。
【００２６】
請求項４記載の発明は、請求項２又は請求項３に記載の発明の効果に加えて、換気部材が設置されていない棟板部材からの結露が防止されるため、結露による水滴の落下も阻止できるためより信頼性が向上する。
【００２７】
請求項５記載の発明は、請求項１から請求項４のいずれかに記載の発明の効果に加えて、一定要件下における水の侵入が確実に阻止されるため、換気棟の軽量化及びコスト低減に寄与する。
【００２８】
請求項６記載の発明は、請求項１から請求項５のいずれかに記載の発明の効果に加えて、換気部材の外方側面が棟板部材の垂直部によって囲まれるため、外方側面が直接風雨を受けることがないため防水機能の信頼性がより向上する。
【発明を実施するための最良の形態】
【００２９】
図１は発明の第１の実施の形態による換気棟の外観形状を示した平面図であり、図２は図１で示したＩＩ−ＩＩラインの拡大端面図である。
【００３０】
これらの図を参照して、換気棟１１は鋼板のプレス加工によって形成された棟板部材１３と、棟板部材１３の下面に取付けられた一対の換気部材２１ａ，換気部材２１ｂとによって主に構成されている。棟板部材１３は具体的には頂点１６から幅方向に向かって斜め下方に延びる板形状の傾斜部１７ａ，傾斜部１７ｂと、傾斜部１７ａ，傾斜部１７ｂの外方端部に接続され、ほぼ垂直下方に延びる一対の垂直部１８ａ，垂直部１８ｂと、垂直部１８ａ，垂直部１８ｂの下方端部に接続され、傾斜部１７ａ，傾斜部１７ｂとほぼ平行に外方に延びるフランジ部１９ａ，フランジ部１９ｂとから構成されている。
【００３１】
尚、傾斜部１７ａ，傾斜部１７ｂの各々には、その長手方向に平行に延びる換気口１４ａ，換気口１４ｂ及び換気口１４ｃ，換気口１４ｄが各々複数列形成されている。そして、傾斜部１７ａ，傾斜部１７ｂの下面であって、頂点１６と換気口１４ｃ及び換気口１４ｃの各々の間のスペースには断熱材２０が取付けられており、断熱材２０の下面の一部には換気部材２１ａ，換気部材２１ｂが取付けられている。
【００３２】
図３は図２で示した換気部材２１ａ，換気部材２１ｂの外観形状を示した概略斜視図である。
【００３３】
図を参照して、換気部材２１は幅方向の断面が台形形状を有し、長手方向に対しては傾斜部１７ａ，傾斜部１７ｂの各々の長手方向の長さとほぼ同一長さを有する棒形状を有している。具体的には換気部材２１は各々が凹凸断面形状を有する合成樹脂シートを複数積層した状態で熱融着によって相互に接続されて一体化されている。そして一方の側壁から他方の側壁へ貫通する通気孔２３が多数形成されている。
【００３４】
この実施の形態においては、台形断面形状の上底に対応する下面２６の幅方向の長さＡは２３ｍｍであり、下底に対応する上面２５の幅方向の長さＢは４０ｍｍであり、台形形状の高さに相当する長さＣは１８ｍｍとなっている。又、通気孔２３はほぼ１ｍｍ×４ｍｍの長方形形状の開口寸法に設定されている。尚、このような換気部材２１は特許２６１０３４２号において開示されている棟カバー材と基本的に同一構造である。これによって一定条件下にあっては、換気部材２１は、通気孔２３を介しての通気を可能とすると共に通気孔２３を介しての雨水の侵入を阻止する通気性能及び防水性能を発揮するものとなる。
【００３５】
このようにこの実施の形態による換気棟は棟板部材と通気及び防水機能を発揮する換気部材とを一体化したものである。
【００３６】
図４は図１及び図２で示した換気棟を屋根材に取付ける前の状態を示した概略端面図である。
【００３７】
図を参照して、屋根材２８はほぼ山形形状でその中央部が開口された形状を有している。具体的には、屋根材２８は、図示しない垂木の上に設置された一対の野地板２９ａ，野地板２９ｂと、野地板２９ａ，野地板２９ｂの各々の上面に布設された防水紙３０ａ，防水紙３０ｂと、防水紙３０ａ，防水紙３０ｂの各々の上に設置された下葺材３２ａ，下葺材３２ｂと、下葺材３２ａ，下葺材３２ｂの上に設置された平板瓦３４ａ，平板瓦３４ｂとから構成されている。尚、捨水切３３ａ，捨水切３３ｂは、防水紙３０ａ，防水紙３０ｂの上に取付けられ、その状態で下葺材３２ａ，下葺材３２ｂが設置されるものである。
【００３８】
このように構成された屋根材２８の上方に換気棟１１を上方から降下させる。この時換気部材２１ａ，換気部材２１ｂは、各々の台形断面形状の下底に対応する面は傾斜部１７ａ，傾斜部１７ｂの各々の下面側に位置するように取付けられている。従って、これらの中央側下方のスペースが拡大するため、設置時に屋根材２８側の捨水切３３ａ，捨水切３３ｂと緩衝する虞が少なくなるため換気棟１１の設置が容易となる。
【００３９】
図５は図４の状態から換気棟１１を屋根材２８の上に設置し、固定釘を用いて取付けた状態を示した断面図である。
【００４０】
図を参照して、換気棟１１を屋根材２８に取付ける際には、図１で示した取付孔１５の下方側に防水パッキン３７を取付けた状態で固定釘３６を挿入する。換気棟１１の屋根材２８に対する位置合わせが終了すると、その位置で固定釘３６ａ，固定釘３６ｂを打ち込むことによって換気棟１１を屋根材２８に固定する。この時防水パッキン３７ａ，防水パッキン３７ｂの厚さは、換気部材２１ａ，換気部材２１ｂの下面が平板瓦３４ａ，平板瓦３４ｂの上面にほぼ接するような関係となるような寸法に設定されている。従って固定釘３６ａ，固定釘３６ｂを完全に打ち込んだ状態にあっては、換気部材２１ａ，換気部材２１ｂは図のような状態に保持されることになる。
【００４１】
通気状態にあっては、矢印で示されているように屋根材２８の中央部において捨水切３３ａ，捨水切３３ｂの間から上昇した空気は、換気部材２１ａ，換気部材２１ｂの各々の通気孔を介して内方側から外方側に通過する。通過した空気は傾斜部１７ａ，傾斜部１７ｂの各々に形成されている換気口１４ａ，換気口１４ｂ及び換気口１４ｃ，換気口１４ｄを介して外方に排出される。
【００４２】
一方、雨水は主に換気口１４ａ〜換気口１４ｄの各々を介して傾斜部１７ａ，傾斜部１７ｂの下方に侵入する。侵入した雨水は上述のように換気部材２１ａ，換気部材２１ｂの各々の通気孔を介しては内方側に移動することはできないように構成されている。従って、侵入した雨水は、フランジ部１９ａ，フランジ部１９ｂの各々の下面と平板瓦３４ａ，平板瓦３４ｂの上面との間の隙間から外方に流れ出ることになる。
【００４３】
又、換気部材２１ａ，換気部材２１ｂの各々の下面と平板瓦３４ａ，平板瓦３４ｂの上面との間の隙間はほとんど無いためその部分からの雨水の侵入の虞も無い。仮にこの隙間から雨水が侵入した場合にあっても、その量は僅かであり、その雨水は捨水切３３ａ，捨水切３３ｂ及び防水紙３０ａ，防水紙３０ｂによって内方への侵入は確実に阻止されることになる。
【００４４】
図６はこの発明の第２の実施の形態による換気棟の取付け状態を示した概略断面図である。
【００４５】
図を参照して、換気棟１１の基本的な構成は先の第１の実施の形態によるものと同一であるが、換気部材３９ａ，換気部材３９ｂの取付け状態が異なっている。換気部材３９ａ，換気部材３９ｂの各々の寸法は先の第１の実施の形態による換気部材２１ａ，換気部材２１ｂと同一であるが、その取付け状態が反対となっている。即ち、この実施の形態にあっては、台形断面形状の上底に対応する面は傾斜部１７ａ，傾斜部１７ｂ側に面しており、その下底に対応する面は平板瓦３４ａ，平板瓦３４ｂ側に面している。従って、換気部材３９ａ，換気部材３９ｂの各々に形成されている通気孔の長さは下方に行くに従って長くなることになる。侵入した雨水は下方側に多く存在することになるため、換気部材３９ａ，換気部材３９ｂの防水性能をより効率的に発揮できることになる。通気性能にあっては、先の実施の形態によるものと何ら変わらず同様の効果を奏することになる。
【００４６】
尚、上記の各実施の形態では、換気部材の寸法、形状を特定しているが、同様の通気機能及び防水機能を発揮するものであれば、他の寸法、形状であっても良い。この場合、特許２６１０３４２号の明細書に記載されている風雨試験と同一の条件で同一の効果を奏するものであることが好ましい。
【００４７】
又、上記の各実施の形態では、棟板部材に垂直部が含まれているが、この垂直部は必ずしも必要なものではなく、棟板部材の外方端部が屋根材の上面に沿うように棟板部材全体を下方に緩やかに曲げるような形状であっても良い。
【００４８】
更に、上記の各実施の形態では、棟板部材の頂点近辺の下面に断熱材を取り付けてこれに換気部材を取り付けているが、断熱材は必ずしも必要なものではない。又、換気部材はそれ自体断熱機能を含んでいるため断熱材を介さずに直接棟板部材に取り付けても良い。
【００４９】
更に、上記の各実施の形態では、棟板部材に形成されている換気口は特定個数で特定形状を有しているが、他の形状や他の個数であっても良い事は言うまでもない。
【００５０】
更に、上記の各実施の形態では、屋根材の構造を特定しているが、他の構造の屋根材であっても同様の形状であれば同様に適用できる。
【図面の簡単な説明】
【００５１】
【図１】この発明の第１の実施の形態による換気棟の外観形状を示した平面図である。
【図２】図１で示したＩＩ−ＩＩラインの拡大端面図である。
【図３】図２で示した換気部材の外観形状を示した概略斜視図である。
【図４】図１及び図２で示した換気棟の取付け時における屋根材との関係を示した概略端面図である。
【図５】図１及び図２で示した換気棟の屋根材への取付け状態を示した概略断面図である。
【図６】この発明の第２の実施の形態による換気棟の屋根材への取付け状態を示した概略断面図である。
【図７】従来の換気棟の屋根材への取付け状態を示した概略断面図である。
【符号の説明】
【００５２】
１１…換気棟
１３…棟板部材
１４…換気口
１６…頂点
１７…傾斜部
１８…垂直部
２０…断熱材
２１…換気部材
２２…多層合成樹脂シート
２３…通気孔
２５…上面
２６…下面
２８…屋根材
３９…換気部材
尚、各図中同一符号は同一又は相当部分を示す。
【図１】
2006009293.tif 000003
【図２】
2006009293.tif 000004
【図３】
2006009293.tif 000005
【図４】
2006009293.tif 000006
【図５】
2006009293.tif 000007
【図６】
2006009293.tif 000008
【図７】
2006009293.tif 000009